(57)【要約】【課題】            必要最低限の大きさまで小型化を図りつつ、複数の種類の電池を収納可能であり、機構的な配慮のみで電池の誤挿入時や、使用予定外の電池挿入時の接触異常を回避し得る電池収納室およびその電池収納室を有する電子機器を提供する。【解決手段】          電池収納室２の内部には、第１の電池接片４の一対のマイナス接片４ａとプラス接片４ｂが奥の壁面に配接され、第２の電池接片５が奥の側壁面に配設され、第３の電池接片が第１の電池接片４と対峙するように電池蓋３の内側壁面に配設されている。２本の単三形電池が電池収納室２に上下二段に装填されたとき、下段の電池のマイナス電極はマイナス接片に、プラス電極は第３の電池接片のプラス接片に、上段の電池のマイナス電極は、第３の電池接片のマイナス接片に、プラス電極は、プラス接片４ｂに、それぞれ接触し導通される。【選択図】          図１
2006261003.tif 000002
【特許請求の範囲】
【請求項１】
異なる形状を有する複数種類の電池を使用可能な電池収納室において、
内部に、挿入する前記電池の長手方向に変形する二つの接片からなる第１の電池接片と、
電気的な回路に直接取付けられて挿入する前記電池の長手方向に対して垂直な方向に変形する第２の電池接片を配置し、
前記電池のうち、特定の第１の電池を正規に挿入した場合には前記第１の電池接片の二つの接片が前記第１の電池と導通し、一方、他の特定の第２の電池を挿入した場合には前記第１の電池接片の一方の接片と前記第２の電池接片が導通するように構成したことを特徴とする電池収納室。
【請求項２】
前記電池収納室は、前記電池を挿入する入口部分に、電池蓋を有し、前記電池蓋の内面側に前記第１の電池と対峙するように一対の第３の電池接片を設けることを特徴とする請求項１に記載の電池収納室。
【請求項３】
前記電池収納室は、前記第２の電池が挿入され、前記第２の電池接片と導通することで、前記電池収納室に前記第２の電池が挿入されたことを判別することを特徴する請求項１または２に記載の電池収納室。
【請求項４】
前記第１の電池接片の前記２つの接片のうち、前記他方の接片には、前記第１の電池の極性が誤って挿入された場合に、当該極性の電極と非導通となるように絶縁部材が配設されていることを特徴とする請求項１に記載の電池収納室。
【請求項５】
前記電池収納室に前記第２の電池を挿入すると、前記第１の電池接片の一方の接片は、前記第２の電池のマイナス電極と接触して導通し、前記第１の電池接片の他方の接片は、前記第２の電池の表面部分が前記絶縁部材を介して接触して導通せず、前記第２の電池接片は、前記第２の電池のプラス電極と接触して導通するように構成したことを特徴とする請求項１〜４のいずれか１項に記載の電池収納室。
【請求項６】
前記電池収納室は、前記第２の電池挿入後、取り出す際に前記電池蓋を開けると、前記第１の電池接片の復元力により前記第２の電池は、前記電池収納室から外側に飛び出し、前記第１の接片が自然長に戻ると、前記第２の電池は、前記第２の接片と接触が離れる状態となるように設定したことを特徴とする請求項１または２に記載の電池収納室。
【請求項７】
前記第１の電池接片の一方の接片は、前記電池収納室で使用可能ないずれの電池を挿入した場合でも常に導通することを特徴とする請求項１〜６のいずれか１項に記載の電池収納室。
【請求項８】
前記電池収納室は、前記第２の電池と形状が似ていて、１つの面にプラスとマイナスの両電極が設けられている第３の電池が挿入された場合に、前記第３の電池のマイナス側の電極が前記絶縁部材と接触し導通が阻止され使用できないように構成されていることを特徴とする請求項１〜７のいずれか１項に記載の電池収納室。
【請求項９】
前記第３の電池は、３Ｖリチュウム電池（ＣＲＶ−３）であることを特徴とする請求項８に記載の電池収納室。
【請求項１０】
請求項１〜９のいずれか１項に記載の電池収納室を有することを特徴する電子機器。
【発明の詳細な説明】
【技術分野】
【０００１】
本発明は、電池収納室に係り、特にカメラやビデオカメラ、携帯電話、携帯用機器などの電子機器の電池収納室に関する。
【背景技術】
【０００２】
従来、複数の種類の電池を収納する電池収納室として、専用の電池収納室より大型化して対応したものや、１つの電池収納室に長さの異なる電池を挿入できるようにしたものなどが提案されている。
例えば、特許文献１（特開平０９−４３６７２号公報）においては、外部電源装置の本体の電池収納部とその一側にカメラ側の電池室に入り込むガイド部材を有し、該電池収納部内に複数の乾電池または一つのリチウムイオン電池の２種類の電池を同じ長手方向に選択装着し、その両端面及びその間に移動可能に設けた中間接片ユニットに乾電池用接片を、その底面にリチウムイオン電池用接片を互いに他方の電池が接触しない位置に設け、該乾電池用電池接片のうち正極接続側には逆極性装着を防止する突起を有し、該中間接片ユニットはリチウムイオン電池使用の場合は装着を邪魔しない位置に移動させるように構成してなるカメラ用外部電源装置が記載されている。
このように構成された外部電源装置は、あまり大型化させずに、２種類の電池を収納できるようにしている。
【０００３】
また、特許文献２（特開２００２−３７３６３２号公報）には、径方向の寸法が近似していて高さ方向の寸法が異なる異種の電池（この例の場合、単三型乾電池とＣＲ−Ｖ３リチウムイオン電池）を兼用したとき、何れの電池を装填しても電池接片の接片圧が一定であって、電池接片が常に安定して電池に接触することができるようにした電池収納室が提案されている。
しかしながら、前記特許文献１のものは、２種類の異なる電源電池を選択使用するために移動可能な中間接片ユニットをその都度移動しなければならない、という厄介な操作が必要であり、電子機器に不馴れな者にとっては、取扱い方法が分らず、使用不能といった事態を招く。
また、特許文献２のものは、２種類の電源電池には、対応しているが形状が似ており、電極の配設位置が異なる他の電源電池が装填されたときの誤接触の問題には対応していない。
また、上記特許文献１および２のものは、形状、電極の位置等が異なる複数（少なくとも３種類）の電源電池が装填された場合の接触異常に対応しておらず、また、小型化にも充分対応していない。
【０００４】
【特許文献１】特開平０９−４３６７２号公報
【特許文献２】特開２００２−３７３６３２号公報
【発明の開示】
【発明が解決しようとする課題】
【０００５】
本発明は、上述した事情に鑑みてなされたもので、その目的とするところは、必要最低限の大きさまで小型化を図りつつ、複数の種類の電池を収納可能であり、機構的な配慮のみで電池の誤挿入時や、使用予定外の電池挿入時の接触異常を回避し得る電池収納室およびその電池収納室を有する電子機器を提供することにある。
【課題を解決するための手段】
【０００６】
請求項１に記載の発明に係る電池収納室は、上記した目的を達成するために、異なる形状を有する複数種類の電池を使用可能な電池収納室において、
内部に、挿入する前記電池の長手方向に変形する二つの接片からなる第１の電池接片と、
電気的な回路に直接取付けられて挿入する前記電池の長手方向に対して垂直な方向に変形する第２の電池接片を配置し、
前記電池のうち、特定の第１の電池を正規に挿入した場合には前記第１の電池接片の二つの接片が前記第１の電池と導通し、一方、他の特定の第２の電池を挿入した場合には、前記第１の電池接片の一方の接片と前記第２の電池接片が導通するように構成したことを特徴としている。
請求項２に記載の発明に係る電池収納室は、前記電池を挿入する入口部分に、電池蓋を有し、前記電池蓋の内面側に前記第１の電池と対峙するように一対の第３の電池接片を設けることを特徴としている。
請求項３に記載の発明に係る電池収納室は、前記第２の電池が挿入され、前記第２の電池接片と導通することで、前記電池収納室に前記第２の電池が挿入されたことを判別することを特徴としている。
【０００７】
請求項４に記載の発明に係る電池収納室は、前記第１の電池接片の前記２つの接片のうち、前記他方の接片には、前記第１の電池の極性が誤って挿入された場合に、当該極性の電極と非導通となるように絶縁部材が配設されていることを特徴としている。
請求項５に記載の発明に係る電池収納室は、前記電池収納室に前記第２の電池を挿入すると、前記第１の電池接片の一方の接片は、前記第２の電池のマイナス電極と接触して導通し、前記第１の電池接片の他方の接片は、前記第２の電池の表面部分が絶縁部材を介して接触して導通せず、前記第２の電池接片は、前記第２の電池のプラス電極と接触して導通するように構成したことを特徴としている。
請求項６に記載の発明に係る電池収納室は、前記第２の電池挿入後、取り出す際に前記電池蓋を開けると、前記第１の電池接片の復元力により前記第２の電池は、前記電池収納室から外側に飛び出し、前記第１の接片が自然長に戻ると、前記第２の電池は、前記第２の接片と接触が離れる状態となるように設定したことを特徴としている。
請求項７に記載の発明に係る電池収納室は、前記第１の電池接片の一方の接片が、前記電池収納室で使用可能ないずれの電池を挿入した場合でも常に導通することを特徴としている。
【０００８】
請求項８に記載の発明に係る電池収納室は、前記第２の電池と形状が似ていて、１つの面にプラスとマイナスの両電極が設けられている第３の電池が挿入された場合に、前記第３の電池のマイナス側の電極が前記絶縁部材と接触し導通が阻止され使用できないように構成されていることを特徴としている。
請求項９に記載の発明に係る電池収納室は、前記第３の電池は、３Ｖリチウムイオン電池（ＣＲＶ−３）であることを特徴としている。
請求項１０に記載の発明に係る電子機器は、請求項１〜９のいずれか１項に記載の電池収納室を有することを特徴としている。
【発明の効果】
【０００９】
本発明によれば、必要最低限の大きさまで小型化を図りつつ、複数の種類の電池を収納可能であり、機構的な配慮のみで電池の誤挿入時や、使用予定外の電池挿入時の接触異常を回避し得る電池収納室およびその電池収納室を有する電子機器を提供することができる。
特に、請求項１に記載の発明に係る電池収納室によれば、異なる形状を有する複数種類の電池を使用可能な電池収納室において、
内部に、挿入する前記電池の長手方向に変形する二つの接片からなる第１の電池接片と、
電気的な回路に直接取付けられて挿入する前記電池の長手方向に対して垂直な方向に変形する第２の電池接片を配置し、
前記電池のうち、特定の第１の電池を正規に挿入した場合には前記第１の電池接片の二つの接片が前記第１の電池と導通し、一方、他の特定の第２の電池を挿入した場合には前記第１の電池接片の一方の接片と前記第２の電池接片が導通するように構成したので、必要最低限の大きさまで小型化でき、複数の種類の電池を収納可能で且つ電池と各接片との接触を確実に行うことができる。
【００１０】
請求項２に記載の発明に係る電池収納室によれば、前記電池を挿入する入口部分に電池蓋を有し、前記電池蓋の内面側に前記第１の電池と対峙するように一対の第３の電池接片を設けるようにしたので、電池の交換が容易で、簡略な構成で、スペースを最小化することができる。
請求項３に記載の発明に係る電池収納室によれば、前記第２の電池が挿入され、前記第２の電池接片と導通することで、前記電池収納室に前記第２の電池が挿入されたことを判別するように構成したので、第２の電池の挿入に合せて供給電圧の自動調整や必要な回路条件の変更等を行うことができる。
請求項４に記載の発明に係る電池収納室によれば、前記第１の電池接片の前記２つの接片のうち、前記他方の接片には、前記第１の電池の極性が誤って挿入された場合に、当該極性の電極と非導通となるように絶縁部材が配設されているので、正規な電池の極性とは反対の極性、例えば、電池のプラス側の端子部分が電池接片に接触すべきであるのに、マイナス側の端子部分が接触する方向で第１の電池を挿入したとしても、両者のその接触を阻止し、電子機器に逆電圧が加わることを防止でき、また、電池同士による充電を防止することができる。
【００１１】
請求項５に記載の発明に係る電池収納室によれば、前記電池収納室に前記第２の電池を挿入すると、前記第１の電池接片の一方の接片は、前記第２の電池のマイナス電極と接触して導通し、前記第１の電池接片の他方の接片は、前記第２の電池の表面部分が前記絶縁部材を介して接触して導通せず、前記第２の電池接片は、前記第２の電池のプラス電極と接触して導通するように構成したので、第１の電池とはその電極の配設位置が異なる第２の電池を挿入しても、そのプラス電極とマイナス電極が予定された第１の電池接片と第２の電池接片に正確、確実に接触して正規な導通（通電）を図ることができる。
請求項６に記載の発明に係る電池収納室によれば、前記第２の電池挿入後、取り出す際に前記電池蓋を開けると、前記第１の電池接片の復元力により前記第２の電池は、前記電池収納室から外側に飛び出し、前記第１の接片が自然長に戻ると、前記第２の電池は、前記第２の接片と接触が離れる状態となるように設定したので、電池蓋を開けたとき、第２の電池が直ちに所定量だけ電池収納室から飛び出すため、その突出した端部を手で摘み易く、直ちに取り出すことができ、電池交換作業が頗る容易になる。
請求項７に記載の発明に係る電池収納室によれば、前記第１の電池接片の一方の接片は、前記電池収納室で使用可能ないずれの電池を挿入した場合でも常に導通するように構成したので、複数種類の電池を挿入しても、少なくとも一方の極性、例えばマイナス電極と必ず接触を図ることが実現され、延いては、複数の異なる種類の電池を適宜選択使用できることを可能にしている。
【００１２】
請求項８に記載の発明に係る電池収納室によれば、前記第２の電池と形状が似ていて、１つの面にプラスとマイナスの両電極が設けられている第３の電池が挿入された場合に、前記第３の電池のマイナス側の電極が前記絶縁部材と接触し導通が阻止され使用できないように構成されているので、形状が似ている第２と第３の電池のうち、使用が予定されていない第３の電池が装填されても、非導通として電池誤装填（誤挿入）時の非導通とするシステムを実現することができ、しかも、このシステムは、複雑で高コストを招く電気的なシステムでなく安価に構成できる簡単な機構的部品の採用により実現することができる。
請求項９に記載の発明に係る電池収納室によれば、前記第３の電池は、３Ｖリチウムイオン電池（ＣＲＶ−３）であるので、この電池を挿入した場合の誤接続を確実に阻止することができる。
請求項１０に記載の発明に係る電池収納室を有する電子機器によれば、請求項１〜９のいずれか１項に記載の電池収納室を有するものであるので、必要最低限の大きさまで小型化を図りつつ、複数の種類の電池を収納可能であり、機構的な配慮のみで電池の誤挿入時や、使用予定外の電池挿入時の接触異常を回避することができる。
【発明を実施するための最良の形態】
【００１３】
以下、本発明の実施の形態に係る電池収納室について、詳細に説明する。
図１〜図４、図６および図７は、本発明の第１の実施の形態に係る電池収納室の構成を示している。
図１は、ディジタルカメラ、ビデオカメラ、携帯電話、その他の携帯用機器などの電子機器における電池収納室の部分の内部構造を示す斜視図、図２は、図１の電子機器の電池収納室の部分の内部構造を別の角度から見た斜視図、図３は、図１の電池収納室に用いられている第１の電池接片のうち、誤接触防止用の絶縁部材が設けられている部分の構成を拡大して示す斜視図、図４は、２本の単三形電池が装填されている電池収納室の内部構成を示す平面図、図５は、専用リチウムイオン充電池の外観構成を示す斜視図、図６は、上記専用リチウムイオン充電池が装填されている電池収納室の内部構成を示す平面図、図７は、電池蓋を開き、専用リチウムイオン充電池を取り出すときの状態の内部構成を示す平面図である。
【００１４】
図１〜図７において、電子機器１には、電池収納室２と各種電子部分が実装されたプリント配線基板（ＰＣＢ）が一体的に組み付けられている。電池収納室２は、一側面だけが開口された横長方形をなす箱体（匣体）を呈し、その一側面（図１においては左側面）が開口され、その開口部を開閉する電池蓋３が、その一端縁をヒンジ結合され、且つ他端縁にロック機構が設けられている。
電池収納室２、即ち電池の出し入れ口の奥の方の壁面（右側の内壁面）には、マイナス接片４ａとプラス接片４ｂからなる第１の電池接片４が配設されている。
この第１の電池接片４のマイナス接片４ａは、図４に示されるように、板ばねをＶ字状に屈曲させて弾力性を付与させてあり、電池の長手方向（図４において、左右方向）に変形できるように配設されている。
第１の電池接片４の他方のプラス接片４ｂは、図３に示すように、板ばね４ｃをＶ字状に屈曲させて弾力性を付与させてあり、その板ばね４ｃ上に、接片４ｄを一体的に設けて、さらに、その接片４ｄを挟むようにして、接片４ｄの高さ（厚さ）よりも所定量（即ち、電池のプラス電極部の高さより若干低い量）高い（厚い）接触防止用スペーサ４ｅが積層されている。
【００１５】
電池収納室２の長手方向の一面側内壁には、第２の電池接片５が電池の長手方向に沿うように、配設されている。
この第２の電池接片５は、各種電子部品が実装されたプリント配線基板６の電気的な回路に直接取付けられて、挿入する電池の長手方向に対して垂直な方向、即ち、図１において紙面に直交する方向に変形するように形成されている。
即ち、この第２の接片５は、プリント配線基板６にその基端側を固定され、他端側は、電池収納室２に穿設された透孔から延出し、第１の電池接片４側に先端を向け、電池収納室２内に先端側が斜め方向に突出している。
さらに、電池蓋３の内壁面には、図２に示されるように、一対の接片、即ち、プラス接片７ａとマイナス接片７ｂとからなる第３の電池接片７が配設されている。これら一対のプラス接片７ａおよびマイナス接片７ｂは、上述した第２の電池接片４を構成するマイナス接片４ａおよびプラス接片４ｂと同じ高さの対応する位置に対峙するように配置されている。８ａ、８ｂは、各電池接片４，７端から電源を取り出すリード線であり、プリント配線基板６に接続されている。
このような構成よりなる電池収納室２内に先ず、特定の第１の電池としての単三形電池９を収納（装填あるいは挿入という場合がある）する場合について説明する。
【００１６】
電池蓋３のロックを解除して一端縁に設けられたヒンジを中心として電池蓋３を開け、１本目の単三形電池９をマイナス電極側から挿入し、次いで２本目の単三形電池９を、プラス電極側から挿入した後、電池蓋３を閉じロックする。このとき、１本目の単三形電池９（図２において下側に位置する電池）のマイナス電極は、第１の電池接片４のマイナス接片４ａと接触し、プラス電極は、第３の電池接片７のプラス接片７ａと接触し、また、２本目の単三形電池９（図２においては、上側に位置する電池）のプラス電極は、第１の電池接片４のプラス接片４ｂと接触し、プリント配線基板６の所定の回路に電源を供給する（図４に示す状態）。
このように単三形電池９が、正規に挿入された場合には、第１の電池接片４と第３の電池接片７と接触し、導通するときは、１本の出力電圧が１．５Ｖとすると、２本直列接続されるので、合計３Ｖの電源電圧が所定の回路へ供給されることになる。
これに対し、２本の単三形電池９の装填が正しく行われなかった場合の作用につき説明する。
例えば、１本目の単三形電池９は、上述したように正規に挿入されたものとして、２本目の単三形電池９が正規の装填と異なって逆向きに挿入された場合、即ち、単三形電池９のマイナス電極側から挿入され、電池蓋３がロックされた場合を想定する。
【００１７】
すると、上側の単三形電池９のマイナス電極は、第１の電池接片４の他方の端子であるプラス接片４ｂの接片４ｄと接触しようとするが、接片４ｄは、スペーサ４ｅが設けられているため、電池９のマイナス電極は、スペーサ４ｅと当接するのみで、接片４ｄとは接触せず、導通しない。
従って、電池９の電極を誤って挿入しても、誤った接続を阻止するように構成されている。
即ち、電池収納室２について、特別の切換操作等をする必要なく、電池誤挿入時の誤った接続を阻止することができる。
尚、この単三形電池９を電池収納室２に挿入したときの第2の電池接片５は、並列状態にある二つの単三形電池９の中間の凹部に位置するため、図４に示すように、単三形電池９の外周面とは接触しないか接触したとしても、電池９の長手方向に対して垂直な方向には、殆ど変位を与えず、非導通状態のままである。従って、後述する専用リチウムイオン充電池が挿入（装填）されたときと、明確に区別される。
図５には、本発明に係る電池収納室２に装填し使用が可能な第２の電池としての専用リチウムイオン充電池１０の外観構成が示されている。この専用リチウムイオン電池１０は、略長円形柱状を呈し、単三形電池９を２本並列状に配置した場合の幅、厚さ、長さの各寸法が近似しており、底面側には円形溝状に形成されたマイナス電極１０ａが２個設けられていると共に、そのマイナス電極１０ａの近似の幅方向中央にプラス電極１０ｂが配設されている。
【００１８】
このような構成の専用リチウムイオン充電池１０を、電池収納室２に挿入するには、前述した単三形電池９を挿入する場合と同様に、電池蓋３のロックを解除して開放し、マイナス電極１０ａ側から挿入し、図６に示すような状態に至ったところで、電池蓋３をロックする。この挿入過程において、プリント配線基板６に取付けられ、開口部から電池収納室２の内部に突出していた第２の電池接片５は、専用リチウムイオン電池１０の側周面に押圧されて図６に示すように、その電池１０の長手方向に対して垂直な方向に変形し、専用リチウムイオン充電池１０のプラス電極と接触し導通する。
一方、所定の深さ位置まで挿入された専用リチウムイオン充電池１０のマイナス電極１０ａは、第１の電池接片４のマイナス接片４ａと接触し導通する。
このようにして、電池収納室２内の所定位置に挿入された専用リチウムイオン充電池１０のマイナス電極１０ａとプラス電極１０ｂから第１の電池接片４のマイナス接片４ａと、第２の電池接片５を介して電源を導出し、プリント配線基板６に実装された所定の回路へと供給される。このとき、所定の回路において、入力電圧を検知して、電池収納室に専用リチウムイオン電池１０が挿入されたことを判別するように構成されている。
【００１９】
本発明に係る電池収納室２に挿入して使用する専用リチウムイオン電池１０は、単三形電池９を２本分並列配置した場合の断面形状がほぼ同等であり、且つ長さ寸法も単三形電池９とほぼ同寸法であるため、この専用リチウムイオン充電池１０を使用することで電池収納室２を、単三形電池９の約２本分の容積まで小さくすることができる。
また、専用リチウムイオン充電池１０を、電池収納室２に挿入したときの第１の電池接片４の他方の接片であるプラス接片４ｂとの関係についてであるが、専用リチウムイオン充電池１０のマイナス電極１０ａは、底面（図６における右端面）から、凹んだ凹溝内にあるため、底面が絶縁材からなるスペーサ４ｅが当接するのみで、マイナス電極１０ａとプラス接片４ｂとは非導通状態となり、何ら支障は生じない。
一方、上記第２の電池としての専用リチウムイオン電池１０と形状が似ていて、その底面にプラス電極とマイナス電極が設けられた第３の電池としてのリチウムイオン充電池（ＣＲ−Ｖ３充電池）が市販されており、この第３の電池も本発明に係る電池収納室２に挿入可能であるが、その底面に設けられたマイナス側電極が第１の電池接片４のスペーサ４ｅにその接触を阻まれ、接触できない構成となっている。
【００２０】
即ち、本来使用できない第３の電池が挿入されても誤接触が生じないように考慮されている。
本実施の形態によれば、種類の異なる電池を電池収納室２に挿入された場合でも、スペーサ４ｅの如き簡単な機構部品を設けるだけで、電気的な誤接続防止回路のような複雑な回路システムを設けることなく実現することができるので、低コストの下に誤挿入時の非導通システムを構築することができる。
図７は、上記実施の形態において、専用リチウム電池１０を取り出すときの状態を示している。同図において、電池蓋３を開くと、専用リチウムイオン充電池１０は、電池収納室２の奥側に配置されている第１の電池接片４のマイナス接片４ａおよび図には現れていないが、第１の電池接片４の板ばね４ｃの復元力により押し出され、第２の電池接片５の先端部分が、専用リチウムイオン充電池１０の底面よりも、電池収納室２の奥側に至るので、第２の電池接片５による電池収納室２の壁面への押圧力が減少乃至は無くなり、簡単に取り出せるようになる。
即ち、専用のリチウムイオン充電池１０の取り出しが極めて容易となるように構成されている。
【００２１】
次に、本発明の第２の実施の形態について、図８を参照して説明する。
この実施の形態においては、第１の電池接片４′のマイナス接片４ａ′およびプラス接片４ｂ′を、プリント配線基板（ＰＣＢ）６に直接取付けた場合の例を示す。
また、マイナス接片４ａ′およびプラス接片４ｂ′も、第２の電池接片５と同様に、プリント配線基板６に直接取付けることで、リード線を不要化したり、組立て工数を減らすことが可能となる。
次に、本発明の第３の実施の形態について図９を参照して説明する。
図９は、第２の電池接片１１を、第１の電池接片４′のマイナス接片４ａ′およびプラス接片４ｂ′が取付けられている面から延びるように配設した場合の実施の形態を示す。
この実施の形態の場合、第２の電池接片１１は、電池の挿入方向とは反対方向に延びているため、電池の挿入時に電池の底面とその先端が当接しないように適宜の案内曲面を設けるなどの配慮が必要であるが、より構成が簡単化され、小型化にも寄与している。
尚、本発明は、上述し且つ図面に示したものに限定されるものではなく、本発明の要旨を逸脱しない範囲で種々の変形実施が可能であることは勿論である。
【産業上の利用可能性】
【００２２】
本発明の電池収納室は、ディジタルカメラ用を意図して説明してきたが、ディジタルスチルカメラのほかディジタルビデオカメラ、携帯電話、携帯用機器、携帯用録音／再生機、などの各種の電子機器の電池収納室として好適である。
【図面の簡単な説明】
【００２３】
【図１】本発明の第１の実施の形態に係る電池収納室の部分の内部構造を示す斜視図である。
【図２】図１の電子機器の電池収納室の部分の内部構造を別の角度から見た斜視図である。
【図３】図１の電池収納室に用いられている第１の電池接片のうち、誤接触防止用の絶縁部材が設けられている部分の構成を拡大して示す斜視図である。
【図４】２本の単三形電池が充填されている電池収納室の内部構成を示す平面図である。
【図５】専用リチウムイオン充電池の外観構成を示す斜視図である。
【図６】専用リチウムイオン充電池が装填されている電池収納室の内部構成を示す平面図である。
【図７】専用リチウムイオン充電池を取り出すときの状態の電池収納室の内部構成を示す平面図である。
【図８】本発明の第２の実施の形態に係る電池収納室の内部構成を示す平面図である。
【図９】本発明の第３の実施の形態に係る電池収納室の内部構成を示す平面図である。
【符号の説明】
【００２４】
１    電子機器
２    電池収納室
３    電池蓋
４，４´    第１の電池接片
４ａ，４ａ´    マイナス接片
４ｂ，４ｂ´    プラス接片
４ｃ    板ばね
４ｄ    接片
４ｅ    スペーサ
５    第２の電池接片
６    プリント配線基板（ＰＣＢ）
７    第３の電池接片
７ａ    プラス接片
７ｂ    マイナス接片
８ａ，８ｂ    リード線
９    単三形電池
１０    専用リチウムイオン充電池
１０ａ    マイナス電極
１０ｂ    プラス電極
１１    第２の電池接片
【図１】
2006261003.tif 000003
【図２】
2006261003.tif 000004
【図３】
2006261003.tif 000005
【図４】
2006261003.tif 000006
【図５】
2006261003.tif 000007
【図６】
2006261003.tif 000008
【図７】
2006261003.tif 000009
【図８】
2006261003.tif 000010
【図９】
2006261003.tif 000011